(57)【要約】【課題】映像表示装置の薄型・軽量化に影響を与えずに、液晶モジュールのバックライト装置の背面板金の機械的強度を高める技術を提供する。【解決手段】本発明の液晶モジュールは、液晶パネルと、液晶パネルの背面に配設された直下型方式のバックライト装置と、を備えた液晶モジュールであって、バックライト装置は、その背面に配設された背面板金３を備え、背面板金３は、所定の面内位置に、液晶モジュールを組み込むべき映像表示装置の構成部材６に固定するための固定手段４，５を備えていることを特徴とする。【選択図】図１
2010256586.tif 000002
【特許請求の範囲】
【請求項１】
液晶パネルと、
前記液晶パネルの背面に配設された直下型方式のバックライト装置と、
を備えた液晶モジュールであって、
前記バックライト装置は、その背面に配設された背面板金を備え、
前記背面板金は、所定の面内位置に、前記液晶モジュールを組み込むべき映像表示装置の構成部材に固定するための固定手段を備えていることを特徴とする、液晶モジュール。
【請求項２】
前記固定手段は、前記バックライト装置の背面板金に設けられたボス又はエンボスであることを特徴とする、請求項１に記載の液晶モジュール。
【請求項３】
前記固定手段は、前記バックライト装置の背面板金に設けられた外部固定用のユーザホールであることを特徴とする、請求項１に記載の液晶モジュール。
【請求項４】
前記ボス又は前記エンボスと前記構成部材、又は前記ユーザホールと前記構成部材は、ネジによって固定されることを特徴とする請求項２又は３に記載の液晶モジュール。
【請求項５】
請求項１に記載の液晶モジュールが組み込まれた映像表示装置であって、
前記バックライト装置の背面板金は、前記映像表示装置の構成部材と前記固定手段を介して固定されることを特徴とする、映像表示装置。
【請求項６】
前記固定手段は、前記バックライト装置の背面板金に固着されたボス又はエンボスであることを特徴とする、請求項５に記載の映像表示装置。
【請求項７】
前記固定手段は、前記バックライト装置の背面板金に設けられた外部固定用のユーザホールであることを特徴とする、請求項５に記載の映像表示装置。
【請求項８】
前記ボス又は前記エンボスと前記構成部材、又は前記ユーザホールと前記構成部材は、ネジによって固定されることを特徴とする請求項６又は７に記載の映像表示装置。
【発明の詳細な説明】
【技術分野】
【０００１】
この発明は、直下型バックライト方式の液晶モジュールと、これを用いた映像表示装置に関し、特に液晶モジュールの強度補強に関する。
【背景技術】
【０００２】
従来の直下型バックライト方式の液晶モジュールでは、外圧や熱膨張によりバックライト装置の中央部が変形してしまう。これによって輝度むらが発生したり、ランプが背面板金に接近してランプの振動音が増大するという問題があった。特に大型化や薄型・軽量化に際して、この問題は顕著である。
【０００３】
図４は、従来の直下型バックライト方式の液晶モジュールを示す中央部断面図である。前面側に液晶パネル１１が配され、その背面に光学シート１２、拡散板１３が設けられている。さらにその背面側にはランプ１４、バックライト装置の背面板金３が設けられている。背面板金３と拡散板１３の間にはスペーサピン１５が設けられて、所定の隙間を形成している。
【０００４】
ところが、ランプ１４の発熱や、液晶モジュールを組み込んだ映像表示装置内の発熱によって、液晶モジュールの中央部が前面側に変形して撓みが発生する。この様な撓みが発生すると、液晶パネル１１の中央部の厚みが狭くなり内部の液晶部分の厚みも狭くなるため、液晶の透過性に差が生じリング状の輝度むら（白むら）が発生する場合がある。又、この撓みにより液晶モジュールの光学シート１２にしわが発生し、輝度むらが発生する場合もある。
【０００５】
又、スペーサピン１５が中央付近に設けられていなければ、ランプ１４と背面板金３との距離Ａが短くなり、ランプ１４で発生する振動音、特にインバーター駆動電圧のデューティー比を変化させる暗（Dimming）周波数の低周波振動が増大し、映像表示装置から離れていても不快な音として聞こえてくる場合がある。
【０００６】
さらに、映像表示装置の電源オンとオフの繰り返しにより、この撓みが繰り返されるためランプ１４にかかるストレスが蓄積されて、ランプ１４が破損がする恐れもある。
【０００７】
これらの問題点の改善策として、特許文献１の液晶表示装置ではバックライト装置の拡散板の上下に透明補強板を追加している。又、特許文献２の表示装置では、ランプ取付け面の裏側にハニカム構造の補強材を追加している。又、近年はコスト削減のためバックライト装置の背面筐体に薄い鉄板を使用することが主流であり、この場合の補強方法としては、図５のようにプレス成型で補強用絞り加工（エンボス）２０を施すことが一般的に知られている。
【先行技術文献】
【特許文献】
【０００８】
【特許文献１】特開２００４−１８４８６１号公報
【特許文献２】特開２００７−２８７３３８号公報
【発明の概要】
【発明が解決しようとする課題】
【０００９】
特許文献１の液晶表示装置では、バックライト装置の拡散板の上または下に６ｍｍ以上の透明補強板を追加しているため、近年の薄型・軽量化した液晶表示装置には適さない。又、コストも大幅に増加する。
【００１０】
特許文献２の表示装置でも、ランプ取付け面の裏側にハニカム構造の補強材を追加しているため、これも同様に薄型・軽量化の表示装置には適さない。又、コストも大幅に増加する。
【００１１】
さらに、これらの構成は液晶モジュール単体では効果があるが、これを映像表示装置に従来手法により組み込んだ場合、この装置の内部回路からの発熱や、筐体内部にこもる温度上昇による液晶モジュールのバックライト装置の背面板金中央部の変形増加に対して効果を充分発揮しない。
【００１２】
そこで、本発明は上述の問題点に鑑み、映像表示装置の薄型・軽量化に影響を与えずに、液晶モジュールのバックライト装置の背面板金の機械的強度を高める技術の提供を目的とする。
【課題を解決するための手段】
【００１３】
本発明の液晶モジュールは、液晶パネルと、液晶パネルの背面に配設された直下型方式のバックライト装置と、を備えた液晶モジュールであって、バックライト装置は、その背面に配設された背面板金を備え、背面板金は、所定の面内位置に、液晶モジュールを組み込むべき映像表示装置の構成部材に固定するための固定手段を備えていることを特徴とする。
【００１４】
又、本発明の映像表示装置は、当該液晶モジュールが組み込まれた映像表示装置であって、バックライト装置の背面板金は、映像表示装置の構成部材と固定手段を介して固定されることを特徴とする。
【発明の効果】
【００１５】
本発明の液晶モジュールにおいて、バックライト装置の背面板金は、所定の面内位置に、液晶モジュールを組み込むべき映像表示装置の構成部材に固定するための固定手段を備えている。これにより、バックライト装置は映像表示装置と一体となって固定されるため、新たな補強部材を追加することなく背面板金の機械的強度を高めることが出来る。
【００１６】
又、本発明の映像表示装置において、バックライト装置の背面板金３は、映像表示装置の構成部材と固定手段を介して固定されることを特徴とする。これにより、バックライト装置は映像表示装置と一体となって固定されるため、新たな補強部材を追加することなく背面板金の機械的強度を高めることが出来る。
【図面の簡単な説明】
【００１７】
【図１】実施の形態１の液晶モジュールと映像表示装置の構成部材をした図である。
【図２】実施の形態２の液晶モジュールと映像表示装置の構成部材をした図である。
【図３】実施の形態３の液晶モジュールと映像表示装置の構成部材をした図である。
【図４】直下型バックライト方式の液晶モジュールの中央部断面図である。
【図５】従来のバックライト装置の補強方法の一例を示す図である。
【発明を実施するための形態】
【００１８】
（実施の形態１）
＜構成＞
図１は、実施の形態１の液晶モジュール１００と、当該液晶モジュール１００を取り付ける映像表示装置の構成部材２００を示す構造図である。左図は側面から見た図、右図は前面から見た図である。本実施の形態の液晶モジュール１００は直下型バックライト方式であり、液晶パネル（図示せず）の背面にはバックライト装置（図示せず）が取り付けられ、バックライト装置の背面側には背面板金３が設けられる。映像表示装置の構成部材２００としては、新たに設けることなく従来より存在するものの一例として、回路基板が取り付けられた回路基板固定用板金６を示している。
【００１９】
バックライト装置の背面板金３には、回路基板固定用板金６と固定するための固定手段として、ボス１及びエンボス４が設けられている。ボス１とエンボス４はネジ穴加工が施されており、ネジ２とネジ５によって、それぞれバックライト装置の背面板金３を回路基板固定用板金６と固定する。
【００２０】
ボス１の材質は、鉄、銅、真鍮等から、加工性・強度・価格を考慮して最適なものを選ぶ。本実施の形態では円筒状の真鍮を用いている。
【００２１】
ボス１は１箇所又は複数個所、バックライト装置の背面板金３上の補強が必要な場所に、溶接、ネジ止め、リベットなどで固定することにより設けられる。本実施の形態では背面板金３の中央部に３箇所、リベットで固定している。
【００２２】
回路基板固定用板金６の形状は、少なくともバックライト装置の背面板金３に設置されたエンボス４の取り付け間隔にわたる長さが必要である。横手方向に十分な長さがなければ、液晶モジュールの中央の撓みに対して補強が不足する。
【００２３】
なお、実施の形態１と３では、バックライト装置の背面板金３に補強目的の外部固定用ボス１やエンボス４，７を予め設けているが、専用のボスやエンボスがない場合には、別の目的のユーザホールを利用して映像表示装置の構成部材と一体化締結しても良い。
【００２４】
ここで別の目的のユーザホールとは、既に設置されているが本来使用しない映像表示装置の回路基板固定用板金の取り付け穴や、冷却用ファンの取り付け穴等のことである。勿論、ユーザホールの位置はバックライト装置の背面板金３の少なくとも中央付近で、固定すべき映像表示装置の構成部材との高さが同一である必要がある。
【００２５】
すなわち、実施の形態１の液晶モジュールは、液晶パネルと、液晶パネルの背面に配設された直下型方式のバックライト装置と、を備えた液晶モジュールであって、バックライト装置は、その背面に配設された背面板金３を備え、背面板金３は、所定の面内位置に、液晶モジュールを組み込むべき映像表示装置の構成部材に固定するための固定手段を備えていることを特徴とする。これにより、固定手段によってバックライト装置の背面板金３と映像表示装置の構成部材が一体となるため、新たな補強部材を追加することなく背面板金の機械的強度を高めることが出来る。
【００２６】
又、固定手段は、バックライト装置の背面板金３に設けられたボス１又はエンボス４であることを特徴とする。これにより、ボス１やエンボス４を介してバックライト装置の背面板金３と映像表示装置の構成部材が一体となるため、新たな補強部材を追加することなく背面板金の機械的強度を高めることが出来る。
【００２７】
あるいは、固定手段は、バックライト装置の背面板金３に設けられた外部固定用のユーザホールであることを特徴とする。ユーザホールによってバックライト装置の背面板金３と映像表示装置の構成部材が一体となるため、新たな補強部材を追加することなく背面板金の機械的強度を高めることが出来る。
【００２８】
さらに、ボス１又はエンボス４と構成部材６、又は前記ユーザホールと前記構成部材６は、ネジによって固定されることを特徴とする。これにより、ボス１やエンボス４を介してネジ２，５によりバックライト装置の背面板金３と映像表示装置の構成部材が一体となるため、新たな補強部材を追加することなく背面板金の機械的強度を高めることが出来る。
【００２９】
実施の形態１の映像表示装置は、液晶パネルと、液晶パネルの背面に配設された直下型方式のバックライト装置と、を備えた液晶モジュールが組み込まれた映像表示装置であって、バックライト装置の背面板金３は、映像表示装置の構成部材６と固定手段を介して固定されることを特徴とする。これにより、固定手段によってバックライト装置の背面板金３と映像表示装置の構成部材が一体となるため、新たな補強部材を追加することなく背面板金の機械的強度を高めることが出来る。
【００３０】
又、固定手段は、バックライト装置の背面板金３に固着されたボス１又はエンボス４であることを特徴とする。これにより、ボス１やエンボス４を介してバックライト装置の背面板金３と映像表示装置の構成部材が一体となるため、新たな補強部材を追加することなく背面板金の機械的強度を高めることが出来る。
【００３１】
あるいは、固定手段は、バックライト装置の背面板金３に設けられた外部固定用のユーザホールであることを特徴とする。ユーザホールによってバックライト装置の背面板金３と映像表示装置の構成部材が一体となるため、新たな補強部材を追加することなく背面板金の機械的強度を高めることが出来る。
【００３２】
さらに、ボス１又はエンボス４と構成部材６、又はユーザホールと構成部材６は、ネジ２，５によって固定されることを特徴とする。これにより、ボス１やエンボス４を介してネジ２，５によりバックライト装置の背面板金３と映像表示装置の構成部材が一体となるため、新たな補強部材を追加することなく背面板金の機械的強度を高めることが出来る。
【００３３】
＜効果＞
実施の形態１の液晶モジュールによれば、既に述べたように以下の効果を奏する。すなわち、背面板金３は、所定の面内位置に、液晶モジュールを組み込むべき映像表示装置の構成部材に固定するための固定手段を備えていることを特徴とする。これにより、固定手段によってバックライト装置の背面板金３と映像表示装置の構成部材が一体となるため、新たな補強部材を追加することなく背面板金の機械的強度を高めることが出来る。
【００３４】
又、固定手段であるボス１やエンボス４を介してバックライト装置の背面板金３と映像表示装置の構成部材が一体となるため、新たな補強部材を追加することなく背面板金の機械的強度を高めることが出来る。
【００３５】
あるいは、固定手段であるユーザホールによってバックライト装置の背面板金３と映像表示装置の構成部材が一体となるため、新たな補強部材を追加することなく背面板金の機械的強度を高めることが出来る。
【００３６】
さらに、ボス１又はエンボス４と構成部材６、又は前記ユーザホールと前記構成部材６は、ネジによって固定されることを特徴とする。これにより、ボス１やエンボス４を介してネジ２，５によりバックライト装置の背面板金３と映像表示装置の構成部材が一体となるため、新たな補強部材を追加することなく背面板金の機械的強度を高めることが出来る。
【００３７】
又、実施の形態１の映像表示装置によれば、既に述べたように以下の効果を奏する。すなわち、バックライト装置の背面板金３は、映像表示装置の構成部材６と固定手段を介して固定されることを特徴とする。これにより、固定手段によってバックライト装置の背面板金３と映像表示装置の構成部材が一体となるため、新たな補強部材を追加することなく背面板金の機械的強度を高めることが出来る。
【００３８】
又、固定手段であるボス１やエンボス４を介してバックライト装置の背面板金３と映像表示装置の構成部材が一体となるため、新たな補強部材を追加することなく背面板金の機械的強度を高めることが出来る。
【００３９】
あるいは、固定手段であるユーザホールによってバックライト装置の背面板金３と映像表示装置の構成部材が一体となるため、新たな補強部材を追加することなく背面板金の機械的強度を高めることが出来る。
【００４０】
さらに、ボス１又はエンボス４と構成部材６、又はユーザホールと構成部材６は、ネジ２，５によって固定されることを特徴とする。これにより、ボス１やエンボス４を介してネジ２，５によりバックライト装置の背面板金３と映像表示装置の構成部材が一体となるため、新たな補強部材を追加することなく背面板金の機械的強度を高めることが出来る。
【００４１】
（実施の形態２）
＜構成＞
図２は、実施の形態２の液晶モジュール１００と、当該液晶モジュール１００を取り付ける映像表示装置の構成部材２００を示す構造図である。左図は側面から見た図、右図は前面から見た図であり、実施の形態１と同一の構成要素には同一の番号を付している。
【００４２】
実施の形態１では回路基板固定用板金６は長方形状であったが、実施の形態２では図２に示すような井形とする。これ以外の構成は実施の形態１と実質的に同一であるため、説明を省略する。バックライト装置の背面板金３を、ボス１及びエンボス４を介してネジ２，５で回路基板固定用板金６と固定することによって、背面板金３と回路基板固定用板金６が一体構造化する。
【００４３】
＜効果＞
本実施の形態では、上記構成によってバックライト装置の背面板金３を映像表示装置の回路基板固定用板金６に固定している。液晶モジュール１００と映像表示装置の回路基板固定用板金６とが、ボス１及びエンボス４によって一体構造化することにより、強度を確保し、外力や熱膨張によって液晶モジュールの中央が撓むのを防ぐことが出来る。
【００４４】
（実施の形態３）
＜構成＞
図３は、実施の形態３の液晶モジュール１００と、当該液晶モジュール１００を取り付ける映像表示装置の構成部材２００を示す構造図である。左図は側面から見た図、右図は前面から見た図であり、実施の形態１と同一の構成要素には同一の番号を付している。
【００４５】
実施の形態１では、ボス１を用いて背面板金３を回路基板固定用板金６に固定したが、実施の形態３ではボス１を用いない。ボス１の代わりに、背面板金３を打ち出し成型にて切り起こして、固定用のエンボス７を形成する。これ以外の構成は実施の形態１と同様である。
【００４６】
本実施の形態では、エンボス７は背面板金３の中央部に３箇所設けられるが、中央部に限定されるわけではなく、背面板金３上の補強が必要な場所に設けることができる。バックライト装置の背面板金３を、エンボス４，７を介してネジ２，５で回路基板固定用板金６と固定することによって、背面板金３と回路基板固定用板金６が一体構造化する。
【００４７】
＜効果＞
本実施の形態では、上記構成によってバックライト装置の背面板金３を映像表示装置の回路基板固定用板金６に固定している。液晶モジュールと映像表示装置の回路基板固定用板金とが、エンボス４，７を介して一体構造化することにより、背面板金３の強度を確保し、外力や熱膨張によって液晶モジュールの中央が撓むのを防ぐことが出来る。
【産業上の利用可能性】
【００４８】
本発明は、直下型バックライト方式の液晶モジュールを搭載した、液晶テレビジョン受信機や液晶ディスプレイモニタなどの映像表示装置に適用できる。新たな補強部材を設けないため、大型、薄型、軽量の液晶モジュールに有効である。
【符号の説明】
【００４９】
１  ボス、２，５  ネジ、３  バックライト装置の背面板金、４，７  エンボス  ６  回路基板固定用板金。
【図１】
2010256586.tif 000003
【図２】
2010256586.tif 000004
【図３】
2010256586.tif 000005
【図４】
2010256586.tif 000006
【図５】
2010256586.tif 000007